(57)【要約】【課題】負圧を利用する場合に比べて、ボウル洗浄用の水への薬剤投入を安定して行い易い便器装置を提案する。【解決手段】本発明は、ボウル３洗浄用の水が流れる流路１１と、この水に液状の薬剤６０を供給する供給部１２とを備えた便器装置１であって、供給部１２は、流路１１中に設けられた混合部２０と、薬剤６０を貯留した貯液部２４と、貯液部２４を混合部２０に接続する接続部３０とを備え、接続部３０は、混合部２０に薬剤６０を搬送する搬送部２５を混合部２０との接続部位に有し、搬送部２５は、混合部２０内に一部が臨む回転体４０と、回転体４０を回転させる駆動部２６とを有し、回転体４０の外面に、薬剤６０を保持する凹部４１を設けたものである。【選択図】図１
2014051831.tif 000002
【特許請求の範囲】
【請求項１】
ボウル洗浄用の水が流れる流路と、この水に液状の薬剤を供給する供給部とを備えた便器装置であって、
前記供給部は、前記流路中に設けられた混合部と、前記薬剤を貯留した貯液部と、前記貯液部を前記混合部に接続する接続部とを備え、
前記接続部は、前記混合部に前記薬剤を搬送する搬送部を、前記混合部との接続部位に有し、
前記搬送部は、前記混合部内に一部が臨む回転体と、この回転体を回転させる駆動部とを有し、
前記回転体の外面に、前記薬剤を保持する凹部を設けたものであることを特徴とする便器装置。
【請求項２】
前記凹部を、前記回転体の回転軸方向において長尺な溝形状に設けたものであることを特徴とする請求項１記載の便器装置。
【請求項３】
前記回転体が、球状であることを特徴とする請求項１又は２に記載の便器装置。
【請求項４】
前記混合部と前記接続部位との間に、前記回転体が当接されるシール部材を設けたものであることを特徴とする請求項１乃至３のいずれか一項に記載の便器装置。
【請求項５】
前記回転体の回転角度を制御する制御部を備え、前記凹部を前記回転体の回転方向に並べて前記回転体に複数設けたものであることを特徴とする請求項１乃至４のいずれか一項に記載の便器装置。
【発明の詳細な説明】
【技術分野】
【０００１】
本発明は、ボウル洗浄用の水に薬剤を混合して洗浄を行う便器装置に関する。
【背景技術】
【０００２】
特許文献１には、ボウル部を洗浄する洗浄水に液体薬剤を混合して洗浄を行う水洗便器が開示されている。この水洗便器では、ボウル部内に吐出される洗浄水が流れる洗浄水流路に、経路径を絞った小径部を設け、この小径部に液体薬剤供給のための経路を連通させている。これにより、小径部に流れ込む洗浄水によって発生する負圧を利用して、経路を介して液体薬剤を吸引させ、洗浄水に液体薬剤を混入させることができる。
【先行技術文献】
【特許文献】
【０００３】
【特許文献１】特開２００８−１６３７４２号公報
【発明の概要】
【発明が解決しようとする課題】
【０００４】
ところで、特許文献１の水洗便器のように、洗浄水流路を流れる洗浄水によって発生する負圧を利用する場合、洗浄水への液体薬剤の投入量が安定し難くなる恐れがある。
【０００５】
そこで、上記事情を鑑みて、本発明は、ボウル洗浄用の水への薬剤投入を安定して行い易い便器装置を提案することを課題とする。
【課題を解決するための手段】
【０００６】
上記課題を解決するために本発明は、ボウル洗浄用の水が流れる流路と、この水に液状の薬剤を供給する供給部とを備えた便器装置であって、前記供給部は、前記流路中に設けられた混合部と、前記薬剤を貯留した貯液部と、前記貯液部を前記混合部に接続する接続部とを備え、前記接続部は、前記混合部に前記薬剤を搬送する搬送部を、前記混合部との接続部位に有し、前記搬送部は、前記混合部内に一部が臨む回転体と、この回転体を回転させる駆動部とを有し、前記回転体の外面に、前記薬剤を保持する凹部を設けたものであることを特徴とする。
【０００７】
また、本発明として、前記凹部を、前記回転体の回転軸方向において長尺な溝形状に設けたものであることが好ましい。
【０００８】
また、本発明として、前記回転体が、球状であることが好ましい。
【０００９】
また、本発明として、前記混合部と前記接続部位との間に、前記回転体が当接するシール部材を設けたものであることが好ましい。
【００１０】
また、本発明として、前記回転体の回転角度を制御する制御部を備え、前記凹部を前記回転体の回転方向に並べて前記回転体に複数設けたものであることが好ましい。
【発明の効果】
【００１１】
本発明は、前記構成を具備したことで、例えば凹部の容積分等、略一定量の薬剤を混合部に搬送することができて、流路への薬剤の供給量を略一定にすることができる。これによって、本発明は、負圧を利用する場合に比べて、ボウル洗浄用の水への薬剤投入を安定して行い易くすることができる。
【図面の簡単な説明】
【００１２】
【図１】便器装置の供給部を示し、（ａ）は一部を簡略化した側断面図であり、（ｂ）は回転体周辺の正面図である。
【図２】同上の便器装置全体を示し、（ａ）は斜視図であり、（ｂ）は一部を簡略化した断面図である。
【図３】搬送部の動作説明用の回転体周辺の正面図であり、（ａ）は待機状態であり、（ｂ）は待機状態から小供給状態に切り替わった直後であり、（ｃ）は薬剤供給状態から待機状態に切り替わった直後である。
【図４】大供給状態の回転体周辺を示し、（ａ）は正面図であり、（ｂ）は図４（ａ）のＢ−Ｂ断面図である。
【発明を実施するための形態】
【００１３】
本発明を添付図面に示す実施形態に基づいて説明する。本実施形態の便器装置１は、椅子型の便器、所謂洋式便器である。便器装置１は、図２に示すように、便器本体２と、便座（不図示）及び便蓋５とを備える。便器本体２は、ボウル３と、その外周を覆うスカート４とで外殻２ａが形成してある。便器本体２は、例えば便所等の床面に固定されている。また、便器本体２上には、前記便座及び便蓋５が載置される。この便座及び便蓋５は、便器本体２上の一端部に枢支されている。
【００１４】
便器本体２内部には、ボウル３に水を供給する吐水部１０と、ボウル３内の水を排出する排水部６と、流路１１内の水に薬剤６０を供給する供給部１２とを備える。
【００１５】
排水部６は、ボウル３下部から外方に突出した筒部７と、筒部７の下流端に設けたトラップ８と、外部の排水管（不図示）に接続された排出部（不図示）とを備える。そして、排水部６は、ボウル３内の水等を筒部７からトラップ８を介して前記排出部に流し、この排出部から排水管に排出する。なお、本例では、トラップ８が封水状態（図２に示す状態）と排水状態とに切替可能な所謂回動式になっているが、前記排水部６に常時接続された固定式のものであってもよい。
【００１６】
吐水部１０は、ボウル３供給用の水を流通させる流路１１（給水路）を備える。流路１１の上流端は、便器本体２から外方に突出する。そして、この上流端は、外部の水道管（不図示）に接続してあり、水道圧によって、この水道管から流路１１に前記水が流入される。流路１１の下流端は、ボウル３の上端部に配置してあり、ボウル３内に臨ませて設けてある。そして、この下流端は、水道管から流路１１に流入した水を、ボウル３内に吐出する。このため、流路１１の前記下流端は、ボウル３洗浄用の吐出口になっている。
【００１７】
また、流路１１の途中には、流路１１を開閉する給水弁１１ａが設けてある。流路１１は、給水弁１１ａが開成することで、通水状態になり、給水弁１１ａが閉成することで、止水状態になる。このため、吐水部１０は、給水弁１１ａの開閉によって、ボウル３への吐水と止水とが切り替わる。
【００１８】
供給部１２は、流路１１の給水弁１１ａより下流側に接続してある。言い換えると、供給部１２は、流路１１の途中に設けてあり、流路１１の給水弁１１ａより下流側に位置する。そして、供給部１２は、薬剤６０を貯留した貯液部２４と、流路を流れる水に薬剤６０を混合させる混合部２０と、貯液部２４を混合部２０に接続する接続部３０と、接続部３０から混合部２０に薬剤６０を搬送する搬送部２５とを備える。なお、供給部１２は、接続部３０の一部又は全部が貯液部２０に一体で設けてあってもよい。
【００１９】
混合部２０は、図１に示すように、略水平に水が流れる。言い換えると、混合部２０における水の流れ方向Ｆは、略水平になっている。混合部２０は、水平面上で流れ方向Ｆに直交する方向（幅方向Ｗ）に幅広な筒形状になっており、所謂断面略扁平の筒形状になっている。そして、混合部２０は流路１１の途中に設けてあり、流路１１の一部として機能する。以下、流れ方向Ｆ（筒の軸方向）及び幅方向Ｗの両方（前記水平面）に直交する向きを上下方向とし、流れ方向Ｆに視た状態を、正面視とし、前記上下方向に視た状態を平面視とする。
【００２０】
混合部２０は、上部の周壁の幅方向Ｗの略中央に開口部２１が設けてある。開口部２１は流れ方向Ｆに所定の長さを有する。そして、開口部２１は混合部２０の幅の略全長に亘って形成してある。開口部２１の幅方向Ｗの縁部には、取付部２２が設けてある。
【００２１】
取付部２２は、開口部２１の縁部と略面一で幅方向Ｗの外方に突出した当接片２２ａと、当接片２２ａの突出先端から上方に立ち上がる縦片２２ｂとを有する。当接片２２ａは平面視板状に形成してあり、板面の幅方向Ｗの略中央に開口部２１が位置する。そして、当接片２２ａは板面が開口部２１の縁部（混合部２０の上面）と略面一に並ぶ。縦片２２ｂは当接片２２ａの前記板面及び混合部２０の上面から略直交した向きで上方に突出する。そして、縦片２２ｂは当接片２２ａの突出先端（板の外縁）の全周及び混合部２０の上面に形成してあり、平面視矩形の枠状になっている。
【００２２】
貯液部２４は、便器本体２に脱着自在で設けてある。貯液部２４は、混合部２０より上方に配置してある。そして、貯液部２４は、内部に薬剤６０を貯留可能な容器形状になっている。貯液部２４に貯留される薬剤６０は、例えば、界面活性剤を含む洗剤液や液状の芳香剤等の水溶性の液体が挙げられる。
【００２３】
更に、貯液部２４は、便器本体２の外面部分に設けたカバー（不図示）を取り外すことで、便器本体２の外部へと取り外すことができる。そして、貯液部２４は、便器本体２から取り外すことで、薬剤６０を補充することができる。
【００２４】
また、貯液部２４は、この容器の下面に供給筒２４ａが設けてある。供給筒２４ａは、前記容器の下面から下方に突出する。貯液部２４は、供給筒２４ａの下端部を接続部３０に脱着自在で連通接続される。これによって、供給部１２は、貯液部２４から接続部３０に薬剤６０が供給される。なお、本例では、重力（薬剤６０の自重）によって貯液部２４から接続部３０に流動させているが、貯液部２４や接続部３０にポンプ等を設けてこれによって薬剤６０を流動させてもよい。
【００２５】
接続部３０は、供給筒２４ａの下端部を嵌め込む嵌着部３２と、供給筒２４ａに上流端が接続された接続部材３１と、接続部材３１からの薬剤６０を一時蓄える容器部３４とを備える。接続部材３１は、フレキシブルな円筒部材で形成してある。接続部材３１は、その円筒の一端部が、嵌着部３２に嵌め込まれている。
【００２６】
嵌着部３２は、便器本体２に固定してある。そして、嵌着部３２は供給筒２４ａの周面外側を覆う覆い部３２ａと、供給筒２４ａの内部に連通する連通部３２ｂとを有する。接続部３０は、連通部３２ｂを介して供給筒２４ａの内部と接続部材３１（円筒部材）の内部とが連通する。このため、接続部材３１は、この一端部が接続部３０の上流端になっている。
【００２７】
覆い部３２ａの内側には、Ｏリング等の第１のシール部材５０を間に介在させた状態で、供給筒２４ａが配置される。これによって、供給部１２は、供給筒２４ａの外周面と覆い部３２ａとの間をシールした状態（水密状態）にして、供給筒２４ａが嵌着部３２に脱着自在で取り付けられる。そして、供給部１２は、この状態で、貯液部２４と接続部材３１とが連通接続する。なお、第１のシール部材５０は、薬剤６０に接触する恐れがあるために耐薬品性に優れるフッ素樹脂製のものが好ましいが、フッ素樹脂製に限らない。
【００２８】
また、接続部材３１は円筒の残りの一端部が容器部３４に連通接続してある。そして、この一端部は、容器部３４に水密状態で固定してある。
【００２９】
容器部３４は、上方に開口した平面視矩形の箱体３５と、箱体３５の天井となる天板３７とを備える。天板３７は、Ｏリング等の第２のシール部材５１を介在した状態で、箱体３５の上端部に固定される。そして、天板３７の下面の平面視略中央には、下方に突出した突出部３７ａ（詳細は後述する）が設けてある。突出部３７ａは、前記下面に略直交して軸方向を有した円柱形状になっている。
【００３０】
容器部３４は、箱体３５の底部３５ｃの平面視略中央に、開口部３６が設けてある。開口部３６は、混合部２０の開口部２１と略同寸同形になっている。そして、容器部３４は、底部３５ｃを当接片２２ａの前記板面及び混合部２０の上面に当接した状態で、取付部２２に取り付けられる。このとき、容器部３４は、平面視において、開口部３６が開口部２１と略重なって位置する。言い換えると、容器部３４は、底部３５ｃを取付部２２に当接・載置することで、互いの開口部２１，３６を平面視重ね合させて連通接続することができる。
【００３１】
更に、容器部３４は、箱体３５の側壁３５ａの下部が縦片２２ｂに覆われる。この際、側壁３５ａ（容器部３４）と縦片２２ｂ（取付部２２）とは、Ｏリング等の弾性を有した第３のシール部材５２を介在させた状態で、当接される。このため、供給部１２は、混合部２０とその接続部位である容器部３４との間を水密状態にして、互いの開口部２１，３６を介して接続部３０と混合部２０とを連通接続することができる。
【００３２】
なお、本例では、第３のシール部材５２を二重（二つ）に配置してあるが、一つであってもよく、三つ以上であってもよい。そして、第３のシール部材５２は、薬剤６０や水道水中の塩素等に接触する恐れがあるために耐薬品性に優れるフッ素樹脂製のものが好ましいが、フッ素樹脂製に限らない。
【００３３】
搬送部２５は、容器部３４に設けてある。言い換えると、搬送部２５は、接続部３０の混合部２０との接続部位に設けてある。そして、搬送部２５は、球状の回転体４０と、回転体４０を回転させる駆動部２６とを有する。駆動部２６は、駆動源２７と、駆動源２７の駆動力を伝達する軸部材２８とを備える。駆動源２７は、例えばステッピングモータになっている。軸部材２８は、軸方向を流れ方向Ｆと略平行にして配置してある。
【００３４】
軸部材２８は軸方向の一端部が、駆動源２７の出力軸と同心で出力軸に接続してあり、本例では、例えば出力軸と軸部材２８とが一体に形成してある。このため、駆動部２６は、駆動源２７によって、軸部材２８が軸周りに回転駆動する。また、軸部材２８は軸方向の反対側の一端部が回転体４０に固定してある。そして、軸部材２８の軸芯を通る軸方向に沿った直線上には、回転体４０の中心が位置する。
【００３５】
このため、回転体４０は、軸部材２８が前記回転駆動することで、前記直線の軸周りに回転する。言い換えると、回転体４０は、流れ方向Ｆに交差する向きで回転する。更に言い換えると、回転体４０は、正面視における回転体４０の円周方向に回転する。この円の中心は、正面視において、回転体４０の中心に略重なって位置する。
【００３６】
また、駆動部２６は、駆動源２７が容器部３４より外方に配置してあり、軸部材２８が容器部３４の側壁３５ａに貫通して配置してある。そして、側壁３５ａの軸部材２８を挿通した挿通孔３５ｂの縁部と軸部材２８との間には、第４のシール部材５３が設けてあり、容器部３４の薬剤６０が挿通孔３５ｂを介して外部に漏れることを抑制する。
【００３７】
回転体４０は、一部が開口部２１，３６を介して混合部２０内に臨むようにして容器部３４内に配置してある。具体的には、回転体４０が、第５のシール部材５４を介して、底部３５ｃの上面に載置してある。第５のシール部材５４は、板状に形成してあり、板面が上下方向を向く。第５のシール部材５４は下面が底部３５ｃの上面に当接・載置される。そして、第５のシール部材５４の平面視略中央には、貫通孔が設けてある。この貫通孔は平面視略円形状に形成してある。そして、この貫通孔の縁部は、回転体４０の外面に沿った曲面形状になっており、上方側に向かう程大径になって開口している。また、前記貫通孔には、この貫通孔の中心と回転体４０の中心とが平面視略重なった状態で、回転体４０が配置される。この際、第５のシール部材５４は前記貫通孔の縁部に、回転体４０の外面が当接される。
【００３８】
第５のシール部材５４は、例えばシール性に加えて、耐薬品性、摺動性、撥水性に優れるフッ素樹脂で形成してある。このため、第５のシール部材５４は、薬剤６０による劣化を生じ難く、また回転体４０回転時の抵抗を低減し易く、また回転体４０に付着した水の容器部３４側への侵入を抑制し易くなっている。なお、第５のシール部材５４は、フッ素樹脂で形成することが好ましいものであって、フッ素樹脂で形成したもの（フッ素樹脂製のもの）に限らない。
【００３９】
また、回転体４０は、上部が天板３７の突出部３７ａの下端部に当接してある。具体的には、突出部３７ａの下端部に押圧部材３８が設けてあり、押圧部材３８に回転体４０の前記上部が当接される。この際、回転体４０は、押圧部材３８によって、第５のシール部材５４（前記貫通孔の縁部）に押し付けられる。これによって、回転体４０は、回転自在で且つ第５のシール部材５４に略水密状態で当接される。そして、回転体４０は、この状態で容器部３４内に位置決め・保持される。なお、押圧部材３８は、耐薬品性及び摺動性の点からフッ素樹脂で形成したものが好ましいが、フッ素樹脂製のものに限らない。
【００４０】
更に、回転体４０は、前記容器部３４内に保持された状態で、正面視において、回転体４０の全周のうち、４分の１程度の部位が第５のシール部材５４の貫通孔を介して混合部２０内に位置する。言い換えると、容器部３４内に保持された回転体４０は、一部が混合部２０内に位置する。そして、回転体４０は、混合部２０との境界に位置する容器部３４側の部位が、第５のシール部材５４を介して容器部３４に水密状態で当接する。このため、便器装置１は、回転体４０及び第５のシール部材５４によって、容器部３４側の空間（接続部３０）と混合部２０側の空間（流路１１）とが水密状態で区画される。
【００４１】
また、回転体４０の外面には、薬剤６０を保持する凹部４１を設けてある。凹部４１は、図４に示すように、回転体４０の回転軸方向（流れ方向Ｆ）に長尺な溝形状になっている。凹部４１は、図１，４に示すように、回転体４０に複数（本例では三つ）設けてある。複数の凹部４１は、正面視において、回転体４０の半周側の部位に集まって設けてある。そして、複数の凹部４１は、略同じ形状で形成してあり、正面視において、回転方向Ｔ１に所定の角度ずれて位置する。なお、凹部４１は、例えば矩形状に開口しているが、矩形状に限らず、例えば円形状等であってもよい。
【００４２】
ここで、所定の凹部４１を例えば第１の凹部４１ａとして基準とし、本例における凹部４１の位置関係を説明する。第１の凹部４１ａから回転方向Ｔ１と逆向きに所定の角度（第１角度θ１）ずれた位置には、第２の凹部４１ｂが設けてある。第２の凹部４１ｂから同じ向き（回転方向Ｔ１と逆向き）に所定の角度（第２角度θ２）更にずれた位置には、第３の凹部４１ｃが設けてある。そして、第１角度θ１と第２角度θ２とは略同じ角度になっている。言い換えると、第３の凹部４１ｃは、第１の凹部４１ａから回転方向Ｔ１と逆向きで、前記所定の角度（第１角度θ１）の約２倍の角度（第１角度θ１＋第２角度θ２）ずれた位置に設けてある。第１角度θ１（第２角度θ２）は、正面視において、例えば、約３０度になっており、回転体４０の外面全周のうちの約９０度の範囲内（４分の１程度の範囲内）に集まって設けてある。
【００４３】
更に、回転体４０は、図３（ａ）に示すように、凹部４１が容器部３４に位置することで、容器部３４の薬剤６０が凹部４１内に流入した状態になる。言い換えると、回転体４０は、容器部３４内の薬剤６０を凹部４１で保持することができる。そして、回転体４０は、この薬剤６０を保持した状態で、駆動部２６によって回転して凹部４１を混合部２０に位置させることで、図３（ｂ）に示すように、凹部４１で保持した薬剤６０を混合部２０に搬送することができる。供給部１２は、流路１１への通水時に、前記凹部４１による混合部２０への薬剤６０の搬送を行うことで、流路１１を流れる水に薬剤６０を供給することができる。
【００４４】
このため、回転体４０は、図３に示すように、駆動部２６によって回転することで、凹部４１を容器部３４に位置させた待機状態と、凹部４１を混合部２０に位置させて流路１１の水に薬剤６０を供給可能な薬剤供給状態とに切替自在になっている。そして、凹部４１は、略容積分の薬剤６０を保持した状態で、待機状態から薬剤供給状態に切り替わるため、この容積分の薬剤６０を混合部２０に搬送する。このため、供給部１２は、凹部４１によって毎回略一定量（前記容積分）の薬剤６０を、混合部２０に搬送・供給することができる。これによって、供給部１２は、安定した供給量で流路１１に薬剤６０を供給することができる。
【００４５】
また、供給部１２は、駆動部２６の駆動制御を行う制御部４４をさらに備える。制御部４４は、前記駆動制御によって、例えば駆動部２６（ステッピングモータ）の回転角度の調整や回転方向Ｔ１，Ｔ２の切替（詳細は後述する）を行う。このため、制御部４４は、駆動部２６を介して回転体４０の回転を制御している。
【００４６】
このように、供給部１２は、制御部４４によって、回転体４０の混合部２０に位置する部位を調整・制御することができる。言い換えると、制御部４４は、駆動部２６を介して、回転方向Ｔ１における凹部４１の位置を調整・制御する。これによって、回転体４０は、前記待機状態と前記薬剤供給状態とが切り替わる。
【００４７】
そして、制御部４４は、前記薬剤供給状態において、例えば混合部２０に位置する凹部４１の数を一つずつ増やすように、回転体４０を回転させることができる。このため、例えば凹部４１が三つの場合、前記薬剤供給状態は、混合部２０に一つの凹部４１を位置させた状態（小供給状態）と、二つの凹部４１を位置させた状態（中供給状態）と、三つの凹部４１を位置させた状態（大供給状態）とに切り替えることができる。
【００４８】
具体的には、小供給状態で、第１の凹部４１ａが混合部２０に位置し、第２，第３の凹部４１ｂ、４１ｃが容器部３４（接続部３０）に位置する。そして、中供給状態では、第１，第２の凹部４１ａ，４１ｂが混合部２０に位置し、第３の凹部４１ｂが容器部３４（接続部３０）に位置する。そして、大供給状態では、第１，第２，第３の凹部４１ａ，４１ｂ，４１ｃの全てが混合部２０に位置し、いずれの凹部４１も容器部３４（接続部３０）に位置しない。
【００４９】
このように、供給部１２は、混合部２０に位置させる凹部４１の数を変更することで、前記供給量を調整・変更することができる。そして、制御部４４は、前記薬剤供給状態において、第５のシール部材５４との間を水密状態にして回転体４０の回転を停止する。
【００５０】
例えば、図３（ｂ）に示すように、一つ又は二つの凹部４１を混合部２０に位置させた場合では、混合部２０側の凹部４１と回転方向Ｔ１後方の容器部３４側の凹部４１との間の部位が第５のシール部材５４に当接される。そして、例えば、図４（ａ）に示すように、三つの凹部４１を混合部２０に位置させた場合では、最初に混合部２０に位置した凹部４１より回転方向Ｔ１前方側の部位と最後に混合部２０に位置した凹部４１より回転方向Ｔ１後方側の部位とが夫々第５のシール部材５４に当接される。
【００５１】
また、供給部１２は、薬剤６０供給後、回転体４０を薬剤供給状態から待機状態に切り替えることで、混合部２０に搬送するための薬剤６０を凹部４１に補充することができる。そして、制御部４４は、回転体４０が薬剤供給状態で流路１１が通水状態の場合、流路１１が止水状態（止水）に切り替わり、流路１１及び混合部２０の水位が下がるまで、混合部２０に位置させた凹部４１を容器部３４内に移動させない。言い換えると、制御部４４は、薬剤６０供給後の待機状態への切替を、流路１１の水位が下がった状態で行う。
【００５２】
このため、供給部１２は、流路１１の通水時に、混合部２０に位置した凹部４１が容器部３４内に移動し難くなっている。言い換えると、供給部１２は、流路１１の水の凹部４１を介した容器部３４への搬送を抑制することができる。これによって、供給部１２は、前記水によって容器部３４内の薬剤６０が希釈される（薬剤濃度の低下）等での、薬剤６０の供給量の低下を抑制することができる。
【００５３】
更に、供給部１２は、前記薬剤供給状態から待機状態へ切り替える回転体４０の回転方向（図１等のＴ２参照）が、前記待機状態から前記薬剤供給状態へ切り替える回転方向Ｔ１の逆向きになっている。これによって、供給部１２は、前記駆動制御における回転角度の制御範囲を３６０度に比べて狭い範囲にすることができて、前記駆動制御のプログラムや制御部４４等の単純化や簡素化等を行い易くすることができる。
【００５４】
なお、制御部４４は、給水弁１１ａ開閉用の制御部の機能を兼ねたものが好ましい。この場合では、待機状態や薬剤供給状態への切替と給水弁１１ａの開閉とを簡素な構成で連動させ易くすることができる。また、制御部４４は、トラップ８回動用の制御部の機能を兼ねてもよい。この場合では、制御部４４が給水弁１１ａ開閉用の制御部の機能を更に兼ねることが好ましい。
【００５５】
このように、便器装置１は、凹部４１を有した回転体４０で薬剤６０を搬送したことで、流路１１への薬剤６０の供給量を略一定にすることができる。これによって、便器装置１は、バルブ等の負圧を利用する場合に比べて、ボウル３洗浄用の水への薬剤６０投入を所定の供給量で安定して行い易くすることができる。そして、便器装置１は、凹部４１を流れ方向Ｆ（回転体４０の回転軸方向）に長尺な溝形状としたことで、流路１１の水を凹部４１内に流入し易くすることができる。これによって、便器装置１は、凹部４１内の薬剤６０を流路１１の水に混合し易くすることができる。
【００５６】
更に、便器装置１は、回転体４０を球体としたことで、例えば回転体４０を曲面で第５のシール部材５４に当接させる等ができる。このため、便器装置１は、回転体４０が第５のシール部材５４との当接部位に角（矩形）を有する場合に比べて、回転体４０と第５のシール部材５４との間を水密状態にし易くすることができる。これによって、便器装置１は、混合部２０から容器部３４への浸水を抑制し易くすることができて、浸水による薬剤濃度の低下等での、前記供給量の低下を抑制することができる。なお、第５のシール部材５４を分割したり、二重に配置して用いたり等してもよい。この場合では、例えば円筒状の回転体４０を用いてもよい。
【００５７】
そして、便器装置１は、凹部４１を回転体４０の回転方向Ｔ１に並べて複数設けたことで、混合部２０に供給する供給量を、混合部２０に位置させる凹部４１の数によって、調整・変更することができる。このため、便器装置１は、混合部２０に位置させた凹部４１の数が同じ場合の供給量を略一定にすることができる。言い換えると、便器装置１は、混合部２０への供給量を変更可能で、且つ各供給量における薬剤６０供給時のばらつきを軽減し易くすることができる。これによって、便器装置１は、各供給量での薬剤６０供給時に、負圧を利用する場合に比べて、ボウル３洗浄用の水への薬剤６０投入を安定して行い易くすることができる。
【００５８】
また、便器装置１は、混合部２０（取付部２２の外殻である縦片２２ｂ）とその接続部位（容器部３４の外壁である側壁３５ａ）との間に、第３のシール部材５２を設けてある。これによって、便器装置１は、流路１１の通水や流路１１の水への薬剤６０の供給等を安定して行い易くすることができる。
【００５９】
そして、便器装置１は、混合部２０とその接続部位との間（開口部２１及び開口部３６）に、第５のシール部材５４を設けてある。これによって、便器装置１は、流路１１から接続部３０（容器部３４）への浸水や接続部３０から流路１１への薬剤６０漏れ等を抑制することができ、また流路１１の通水や流路１１の水への薬剤６０の供給等を安定して行い易くすることができる。
【００６０】
なお、本発明は、実施形態（前記例）の構成のみに限定されるものではなく、本発明の意図する範囲内であれば、適宜の設計変更を行うことが可能である。例えば、第５のシール部材５４の上下方向の寸法（厚さ）は、凹部４１の回転方向Ｔ１における幅と略同じ或いは前記幅より大寸であることが好ましい。これによって、便器装置１は、回転体４０の回転によって凹部４１が混合部２０側と容器部３４側とを行き来する際に、凹部４１によって第５のシール部材５４の水密状態が破られる（容器部３４内と混合部２０内とが連通する）ことを抑制することができる。また例えば、便器装置１は、凹部４１を回転方向及び軸方向（回転軸方向）に複数並べて設けて、所謂ディンプルを設けたゴルフボールのように形成したもの等であってもよい。
【符号の説明】
【００６１】
１  便器装置
３  ボウル
１０  吐水部
１１  流路
１２  供給部
２０  混合部
２４  貯液部
２５  搬送部
２６  駆動部
３０  接続部
３１  接続部材
３２  嵌着部
３４  容器部
４０  回転体
４１  凹部
４４  制御部
５０  シール部材（第１のシール部材）
５１  シール部材（第２のシール部材）
５２  シール部材（第３のシール部材）
５３  シール部材（第４のシール部材）
５４  シール部材（第５のシール部材）
６０  薬剤
【図１】
2014051831.tif 000003
【図２】
2014051831.tif 000004
【図３】
2014051831.tif 000005
【図４】
2014051831.tif 000006